(57)【特許請求の範囲】
【請求項１】
中央部に取付部を有し両側に前記取付部を保持する柱状部を備えた衝立の上部にほぼ垂直に取り付けて衝立を支持するポールと、前記ポールに同ポールを伸縮するための伸縮部を設けるとともに、このポールの上端に水平に設けたアームと、同アームの両端部に伸縮可能な支持部と、同支持部を天井面に当接するプレートを上端部に設けたボルトと、前記ボルトを螺合するとともにアームの端部に垂設されるホルダとを備えた衝立固定装置。
【請求項２】
上記伸縮部が、外径の大きいポールと、同ポール内に挿通し自由に移動可能な外径の小さいポールと、外径の小さいポールを外径の大きいポールに固定する固定具とを備えた請求項１記載の衝立固定装置。
【請求項３】
上記固定具を、外径の小さいポールの相応位置に複数の凹部を設け、外径の大きいポールに設けたネジを、前記凹部に係止して伸縮固定するようにした請求項２記載の衝立固定装置。
【請求項４】
上記固定具を、外径の大きいポール及び外径の小さいポールの相応位置に複数の孔を設け、外径の大きいポールの孔と外径の小さいポールの相応する孔に係止ピンを挿通して固定するようにした請求項２記載の衝立固定装置。
【請求項５】
上記アームには、ポールとの接続点を複数個設けたことを特徴とした請求項１記載の衝立固定装置。
【請求項６】
上記アームに第二伸縮部を設けた請求項１記載の衝立固定装置。
【発明の詳細な説明】
【０００１】
【発明の属する技術分野】
本発明は、平面テレビ設置用の衝立上部と天井面との間に配置し、衝立の転倒を防止するようにした衝立固定装置に関する。
【０００２】
【従来の技術】
従来、大画面のＰＤＰ(Plasma Display Panel)等を用いた平面テレビは、設置用の衝立上に画面の高さ、位置又は方向を見易く取り付けている。
【０００３】
図６は従来の衝立上に設置した平面テレビの実施例を示す側面図である。
１は、例えば、ＰＤＰ(Plasma Display Panel)等を用いた平面テレビである。２は、前記平面テレビ１を設置するための中央部に取付部を有し両側に前記取付部を保持する柱状部を備えた衝立である。
３は、前記衝立２を垂直状態に設置するための床面４上に置に置かれる基盤である。４は床面である。
【０００４】
図６に示すように、床面４上に置いた基盤３に衝立２を垂直状態に設置し、同衝立２上の所要高さに平面テレビ１を取り付けている。ところで、平面テレビ１が、例えば、４２インチのＰＤＰ(Plasma Display Panel)の場合、約４０kgの重量がありＰＤＰの重心Ｏが床面４から高い位置にあるので、設置状態はかなり不安定であり、少しの外力により転倒し易くなる。重いＰＤＰが転倒するとＰＤＰ自身が破壊するだけでなく、近くの人にも危険である。特に、図６に示すように、ＰＤＰが衝立の中心から前方に設置される場合、重心Ｏが衝立より前方に有るので衝立には前方に倒れる方向のモーメントが働き、一層、転倒し易くなる。
【０００５】
そこで、従来の転倒防止対策としては衝立に大きな基盤３を用いるようにしている。即ち、衝立を垂設した基盤３は縦断面ほぼ逆Ｔ形状とし、衝立より前側部分の前後距離を大きくしている。
図６に示すように、例えば、４２インチのＰＤＰの重心Ｏを1.2 ｍの高さに保持する場合、ＰＤＰの重心Ｏが床面４を見込む角度をθとして、例えば、θ＜＝60度が転倒しにくい条件であるとすると、基盤３は衝立から前方部分が６０ｃｍ程度の前後距離を備える必要が有る。言い換えると、基盤３は衝立から前方部分が少なくとも６０ｃｍなければならない。
ところが、このような大きな前後距離を有する基盤３では、設置するために大きい床面積が必要である問題が有る。又、例えば、タッチパネルを装着したＰＤＰ等の場合、基盤３の前方部分が邪魔となり画面に充分に近づくことが出来ず、タッチパネルに触れ難い問題があった。
【０００６】
【発明が解決しようとする課題】
本発明は上記問題点に鑑みなされたもので、天井からの支持を併用することにより、小さい設置床面積にも拘わらず転倒しにくい衝立固定装置を提供することを目的とする。
【０００７】
【課題を解決するための手段】
上記目的を達成するために、中央部に取付部を有し両側に前記取付部を保持する柱状部を備えた衝立の上部にほぼ垂直に取り付けて衝立を支持するポールと、このポールの上端に水平に設けたアームと、同アームの両端部に伸縮可能に設けた支持部とを備えた。
【０００８】
また、上記ポールに同ポールを伸縮するための伸縮部を設けた。
【０００９】
また、上記アームには、ポールとの接続点を複数個設けた。
【００１０】
また、上記支持部を、天井面に当接するプレートを上端部に設け上部を円盤としたボルトと、前記ボルトを螺合するとともにアームの端部に垂設されるホルダとで構成した。
【００１１】
【発明の実施の形態】
以上のように構成したので、衝立の上部にポールを取り付け、支持部を伸長させてその先端で天井面を押圧すると、天井からの応力は前記支持部、アーム及びポールを経由して衝立上部に至り、同衝立上部が下方に押し付けられるように応力を受け支持される。
【００１２】
また、ポールをアームの中心位置以外に取り付けることにより、長い方のアームを衝立の前面側に短い方のアームを背面側になるように設置することにより、例えば、壁に接近して設置する場合など、後側に設置距離が少ないときにも対応する。
【００１３】
また、種々の天井高にも適用できるように、ポールに設けた伸縮部で該天井高に合わせる大きな（粗）調整を行ない、続いてアーム先端の支持部を伸縮させて小さい（微）調整を行なう。このようにして二段階の調整により低い天井から高い天井まで種々の天井に対応し確実に天井を押圧する。
【００１４】
また、支持部の円盤を右に回転させると螺合しているボルトが上下方向に移動し、例えば、ホルダの上端から縮小する。また、円盤を左に回転させると螺合しているボルトが、例えば、ホルダの上端から伸長するように伸縮し、ボルトの先端のプレートは天井面に当接するので、所要の応力が得られるようになる。。
【００１５】
【実施例】
以下、本発明による衝立固定装置について、図を用いて詳細に説明する。図１は本発明による衝立固定装置を使用した平面テレビの実施例を示す側面図（イ）と、正面図（ロ）である。尚、従来例と同一の個所は同じ番号を付した。
１は、例えば、ＰＤＰ(Plasma Display Panel)等を用いた平面テレビである。２は、前記平面テレビ１を設置するための、中央部に取付部を有し両側に前記取付部を保持する柱状部を備えた衝立である。３は衝立２を垂直状態に設置するための床面４上に置に置かれる基盤である。４は床面である。５は天井である。６は衝立上部と天井面との間にほぼ垂直に配置し、天井からの応力を受けて衝立の転倒を防止するようにした本発明による衝立固定装置である。
【００１６】
本発明による衝立固定装置の衝立支持動作の概要を図１に従い説明する。
図１（イ）、（ロ）に示したように、衝立２の左右に備える柱の上部に設けた垂直孔に衝立固定装置６のポールを挿通してほぼ垂直に取り付け、このポールの上端に設けた水平なアームの、ポールとの接続点から長い方のアームを衝立の前面側とし短い方のアームを衝立の背面側となるように設置し、アームの両端の支持部を伸長して天井５を押圧することにより、天井５から得た応力で前記衝立固定装置６のポールが衝立２を支持する。
【００１７】
図２は本発明による衝立固定装置の実施例を示す正面図（イ）、支持部の縦断面図（ロ）である。
衝立固定装置６は以下の各部で構成する。即ち、伸縮部は、垂直に設置する太いポール6aと、前記太いポール6aに挿通し位置自在にネジ6fで固定され、例えば、衝立２（図１）の左右の柱等の上部に設けた垂直孔に挿通して衝立２を支える細いポール6dとでなる。アーム6bは、この太いポール6aの上端に水平に設けている。また、支持部6cは同アーム6bの両端部に垂設し、同支持部6cの上端に大円盤63とその上に天井面に当接するプレート64を設けたボルト61と、前記ボルト61を螺合し前記アーム6bに固定されるホルダ62とを備える。
【００１８】
また、前記太いポール6aはアーム6bと接続する位置に応じてアーム6bを長い部分6ba と、短い部分6bb とに非等分に分割する。さらに、前記短い部分6bb に第二伸縮部を設けアーム長を伸縮自在にする。また、アーム支持部6eは太いポール6aに設け斜め上方向に伸びてアーム6bの長い部分6ba を支える。ネジ6fは太いポール6aの下端部等に設け細いポール6dを位置自在に取付ける。
【００１９】
図２を参照して本発明による衝立固定装置の支持部の伸縮動作を詳細に説明する。
図２の正面図（イ）及び縦断面図（ロ）に示したように、支持部6cのホルダ62は、アーム6bの長い部分6ba 及び短い部分6bb の端部に垂設されるとともに、上部が大円盤63とその上に小円盤を備えプレート64を前記小円盤に回動自在に取り付けるボルト61を螺合している。
従って、縦断面図（ロ）を参照して、前記大円盤63を右に回転させると螺合しているボルト61が上下方向に移動し、例えば、ホルダ62の上端から縮小する。また、大円盤63を左に回転させると螺合しているボルト61が、例えば、ホルダ62の上端から伸長するように伸縮動作をする。
この伸縮動作により、ボルト61の先端のプレート64は天井面に当接し回転を停止するも、一方で、ボルト61の回転及び伸長が継続するので、所要の応力が得られるようになる。したがって、大円盤63を回転することにより天井から所要の応力を得る。
【００２０】
また、正面図（イ）を参照して、太い（外径の大きい）ポール6aと、同太いポール6a内に挿通し自由に移動可能な細い（外径の小さい）ポール6dと、同細いポール6dを太いポール6aに固定する太いポール6aに設けたネジとで伸縮部を構成し、さらに、細いポール6dに、例えば、５cm間隔等で一列に並ぶように複数の凹部を設け、太いポール6aの相応位置に設けたネジ6fを設けるようにしたので、細いポール6dを太いポール6aから引き出すように伸長し、前記ネジ6fを凹部に係止固定する。例えば、この伸縮部でポール長さを30cm伸縮させるなど伸縮自在に、所謂、粗調整を行なう。
【００２１】
図３は本発明による衝立固定装置の支持部の他の実施例を示す要部拡大図である。尚、図２と同一の箇所は同じ番号を付し重複説明を省略する。
この支持部では、例えば、コイルスプリング等を備えた緩衝部62d をボルト61の上端の大円盤63に垂設し先端にプレート64を設置する。また、同プレート64の上面に緩衝部材64a 、例えば、硬質ゴム、軟質プラスチック、フェルト等を取り付けている。
緩衝部62d を設けた支持部の実施例についてその働きを説明する。大円盤63を回転することにより、例えば、ボルト61が上方向に移動し、プレート64が天井に当接するようになると、天井からの応力はプレート64、コイルスプリング62d 及び、大円盤63を経由してボルト61に伝わる。このとき、応力によりコイルスプリング62d の弾性力に応じてコイルスプリング62d が縮む。従って、プレート64はコイルスプリング62d の変形に伴い弾性的に天井面を押圧して支持する。
又、プレート64の上面に取付けた緩衝部材64a はやや変形することにより摩擦力が大きく滑り難い状態となるので、振動等の外力に耐え、天井面を確実に保持する。
【００２２】
図４は本発明による衝立固定装置の伸縮部の他の実施例を示す要部拡大図である。尚、図２と同一の箇所は同じ番号を付し重複説明を省略する。
挿通孔を設けた太い（外径の大きい）ポール6aと、同太いポール6a内に挿通し自由に移動可能な、一列に複数の挿通孔を設けた細い（外径の小さい）ポール6dと、同細いポール6dの挿通孔と太いポール6aの挿通孔とに挿通し太いポール6aと細いポール6dとを固定する係止ピン７とで伸縮部を構成する。
例えば、細いポール6dに５cm間隔等で一列に並ぶように複数の挿通孔を設け、細いポール6dを太いポール6aから引き出すように伸長し、太いポール6aの挿通孔と相応位置の細いポール6dの挿通孔とに係止ピン７を挿通する。
また、この係止ピン７の先端部に小孔を設け、上記挿通状態の係止ピン７に割ピン８を装着するようにしても良い。
【００２３】
図５は本発明による衝立固定装置のポールにアームを接続する実施例を示す要部拡大図である。尚、図２と同一の箇所は同じ番号を付し重複説明を省略する。
アーム6bに一列に並ぶ垂直な複数の挿通孔16を設け、太いポール6aには上端部に垂直にねじ孔26を設け、前記挿通孔16に挿通して前記ねじ孔26に螺合するボルト９を設ける。
上述のように実施例を構成したので、アーム6bを太いポール6aと接続する位置に応じて移動させ、アーム6bの挿通孔16と、太いポール6aのねじ孔26とを合わせた状態とし、ボルト９を前記挿通孔16を経由して前記ねじ孔26に螺合させる。
【００２４】
【発明の効果】
以上説明したように、本発明は天井からの支持を併用することにより、小さい設置床面積にも拘わらず転倒しにくい衝立固定装置を提供する。
従って、天井で支持するので大きな前後距離を有する基盤が不要となり、設置床面積を小面積とすることができる。そのため、例えば、タッチパネルを装着したＰＤＰ等の画面に充分に近づくことが出来るので、タッチパネルの操作がし易いメリットがある。
また、平面テレビを１対の衝立固定装置により合計４つのプレートで天井に支持するようにしているので、天井に極端な負荷を与えずに転倒防止効果を得ることが出来る。
【００２５】
また、伸縮部を設けポール長さを粗調整できるので、種々の天井高に対応できて適用範囲が広い。さらに、アームを、ポールとの接続点により長さの異なる２つの部分に分割したので、短い部分（アーム）を背面側に設置することにより背部の壁に接近して設置可能である。
また、支持部に緩衝部、例えば、コイルスプリング等を用いることにより必要最小な応力で弾性的に支持されるので、天井面に損傷を与えることなく、振動等の外力に抗して安定な支持動作が期待出来る。さらに、プレートはボルトの上端部に回動自在に取り付けられるので、同プレートを無理なく天井に当接できる。
【図面の簡単な説明】
【図１】本発明による衝立固定装置を使用した平面テレビの実施例を示す側面図（イ）と、正面図（ロ）である。
【図２】本発明による衝立固定装置の実施例を示す正面図（イ）、支持部の縦断面図（ロ）である。
【図３】本発明による衝立固定装置の支持部の他の実施例を示す要部拡大図である。
【図４】本発明による衝立固定装置の伸縮部の他の実施例を示す要部拡大図である。
【図５】本発明による衝立固定装置のポールにアームを接続する実施例を示す要部拡大図である。
【図６】従来の衝立上に設置した平面テレビの実施例を示す側面図である。
【符号の説明】
１  平面テレビ
２  衝立
３  基盤
４  床面
５  天井
６  衝立固定装置
６ａ  太いポール
６ｂ  アーム
６ｂａ  長い部分（アーム）
６ｂｂ  短い部分（アーム）
６ｃ  支持部
６ｄ  細いポール
６ｅ  支持部
６ｆ  ネジ
６１  ボルト
６２  ホルダ
６２ｄ  緩衝部（コイルスプリング）
６３  大円盤
６４  プレート
６４ａ  緩衝部材
７  係止ピン
８  割ピン
９  ボルト
１６  挿通孔
２６  ねじ孔
【図１】
0003931365.tif 000002
【図２】
0003931365.tif 000003
【図３】
0003931365.tif 000004
【図４】
0003931365.tif 000005
【図５】
0003931365.tif 000006
【図６】
0003931365.tif 000007